(57)【要約】【課題】本発明はかつら用ベースシートおよびこれを利用した着用方法に関する。【解決手段】本発明は、仮毛が植栽されたかつらに付着される、かつら用ベースシートにおいて、頭皮に接触されるシリコーンゲル接着剤、上記シリコーンゲル接着剤の下面に形成される不織布、上記不織布の下面に形成される高分子フィルム、上記高分子フィルムの下面に形成されて仮毛が植栽されるかつら接着剤、を含んで構成され、その着用方法は、頭皮に医療用シリコーン接着剤を塗布する第１段階、上記かつら用ベースシートを頭皮に着用して上記医療用シリコーン接着剤と接着されるようにする第２段階から成る。これによれば、仮毛が植栽されるかつら用ベースシートの接着性を向上させて頭皮に少なくとも１回乃至数十回以上脱着が可能にして耐久性が向上でき、着用が簡単ながら自然毛髪に損傷を与えることなく、かつらの流動や歪みなどを防止できて優れた着用感が提供できる効果がある。【選択図】図１
2014055392.tif 000002
【特許請求の範囲】
【請求項１】
仮毛が植栽されたかつら１００，１００’が付着される、かつら用ベースシートにおいて、
頭皮に接触されるシリコーンゲル接着剤２、
前記シリコーンゲル接着剤２の外面に形成された高分子フィルム６と、
を含むことを特徴とするかつら用ベースシート。
【請求項２】
仮毛が植栽されたかつら１００，１００’が付着される、かつら用ベースシートであって、
頭皮に接触されるシリコーンゲル接着剤２、
前記シリコーンゲル接着剤の外面に形成された高分子フィルム６、
前記高分子フィルム６の外面に形成された接着剤７と、
を含むことを特徴とするかつら用ベースシート。
【請求項３】
仮毛が植栽されたかつら１００，１００’が付着される、かつら用ベースシートであって、
頭皮に接触されるシリコーンゲル接着剤２、
前記シリコーンゲル接着剤２の外面に形成された不織布８、
前記不織布８の外面に形成された高分子フィルム６
を含むことを特徴とするかつら用ベースシート。
【請求項４】
仮毛が植栽されたかつら１００，１００’が付着される、かつら用ベースシートであって、
頭皮に接触されるシリコーンゲル接着剤２、
前記シリコーンゲル接着剤２の外面に形成された不織布８、
前記不織布８の外面に形成された高分子フィルム６、
前記高分子フィルム６の外面に形成された接着剤７
を含むことを特徴とするかつら用ベースシート。
【請求項５】
高分子フィルム４１の両面に接着剤４２、４３が形成された両面テープ４をさらに含み、
前記両面テープ４は、一面の接着剤４２に前記かつら用ベースシートが接着されて、他面の接着剤４３に前記かつら１００、１００’が接着されることを特徴とする、請求項１〜請求項４のうちいずれの一項において記載のかつら用ベースシート。
【請求項６】
前記かつら１００は、前記他面の接着剤４３に接着されるパッチ１０２と、前記パッチ１０２に植栽された仮毛１０４とからなり、
前記かつら１００’は、前記他面の接着剤４３に接着される網１０６’と、前記網１０６’に植栽された仮毛１０４’と、からなることを特徴とする、請求項５に記載のかつら用ベースシート。
【請求項７】
請求項１または請求項３に記載されたかつら用ベースシートを着用する方法であって、頭皮または、自然毛髪に医療用シリコーン接着剤を塗りつける第１段階Ｓ１、
仮毛が植栽されたかつらのパッチ１０２または、網１０６’に両面テープ４の一面を接着させて、かつら用ベースシートの高分子フィルム６を両面テープ４の他面に接着させてかつらを完成する第２段階Ｓ２、
前記かつらを前記頭皮または、自然毛髪に着用してかつら用ベースシートＡ４のシリコーンゲル接着剤２が前記医療用シリコーン接着剤と接着されるようにする第３段階Ｓ３を含むことを特徴とするかつら用ベースシートの着用方法。
【請求項８】
請求項２または請求項４に記載されたかつら用ベースシートを着用する方法であって、頭皮または、自然毛髪に医療用シリコーン接着剤を塗布する第１段階Ｓ１、
仮毛が植栽されたかつらのパッチ１０２または、網１０６’をかつら用ベースシートの接着剤７を接着させてかつらを完成する第２段階Ｓ２、
前記かつらを前記頭皮または、自然毛髪に着用してかつら用ベースシートＡ４のシリコーンゲル接着剤２が前記医療用シリコーン接着剤と接着されるようにする第３段階Ｓ３を含むことを特徴とするかつら用ベースシートの着用方法。
【発明の詳細な説明】
【技術分野】
【０００１】
本発明は、かつら用ベースシートおよびこれを利用した着用方法に関し、仮毛が植栽されるかつら用ベースシートの接着性を向上させて頭皮に少なくとも１回乃至数十回以上の脱着が可能であって、耐久性が向上でき、着用が簡単ながら自然毛髪に損傷を与えないようにする、かつら用ベースシートおよびこれを利用した着用方法に関するものである。
【背景技術】
【０００２】
一般的に、遺伝などの要因で、毛髪の一部が脱毛したり、毛髪全部が脱毛した人々は、大部分脱毛した部分を隠すため、各種のかつらを着用している。  
【０００３】
これと関連した先行技術では、大韓民国登録特許１０−０８３９５７６号の「かつら用接着剤およびこれを利用したかつらおよびその製造方法」が開示されている。
通常かつらを頭皮に付着する部位は、大いに、次の２つの部分に分けられ、かつらを頭皮に付着する方法は次のとおりである。
【０００４】
第一に、かつらの前の部分を頭皮に固定する方法は、主に短期間固定用テープや、約２日または、３日の短期間付着用接着剤を使う。
【０００５】
第二に、かつらのそばまたは、かつら後の部分を固定する方法である。  代表的な方法としては、クリップを使ったり約１５日から３０日ほど使用可能な医療用接着剤を使い、または、中短期固定用付着テープを使っている。
【０００６】
上記のクリップの使用は、かつらの枠フレームにクリップを設置し、クリップを髪の毛に締結する方法である。この方法は、隋時かつらを脱いで被ることができるという長所がある。
【０００７】
しかし、クリップを髪の毛に緩く固定するとかつらが揺れ、クリップを密着して固定するとどうしても毛髪が引っ張られて痛くなり、さらに外部からの牽引により脱毛が発生しうるという問題点がある。
【０００８】
上記医療用接着剤の使用は、医療用接着剤を利用してかつらを頭皮に付着する方法である。  
【０００９】
この方法は、クリップのように自然と毛髪が引っ張られないので痛くなくなり、そのため、牽引性脱毛が起きない長所があるが、接着剤を利用して一度付着すると長期間（約２週ないし４週）かつらを引き離さないで生活しなければならないので、かつらを随時脱いで被ることができず洗髪が難しくなり、接着剤が溶けて粘りつきが発生する問題点があった。
【００１０】
上記中短期固定用付着テープを利用してかつらを頭皮に付着する方法は、約２ないし５日に一回ずつテープを交替しなければならないという煩わしさがあり、テープの接着剤が頭皮の自然毛髪にくっついた場合、除去が煩わしいという問題点もあり、また、夏に接着剤が溶けて粘りつきが発生するなどの問題点があった。
【発明の概要】
【発明が解決しようとする課題】
【００１１】
本発明目的は、上述した従来技術の問題点を解消するため、案出されたものであり、仮毛が植栽されるかつら用ベースシートの接着性を向上させ、頭皮に少なくとも１回乃至数十回以上の脱着が可能であって、耐久性が向上でき、着用が簡単ながら自然毛髪に損傷を与えないようにするかつら用ベースシートおよびこれを利用した着用方法を提供することである。
【課題を解決するための手段】
【００１２】
上記の本発明の目的は、仮毛が植栽されたかつらが付着される、かつら用ベースシートにおいて、頭皮に接触されるシリコーンゲル接着剤、上記シリコーンゲル接着剤の外面に形成された高分子フィルムを含むことを特徴とするかつら用ベースシートによって達成されることができる。
【００１３】
上記の本発明の目的は、仮毛が植栽されたかつらが付着される、かつら用ベースシートにおいて、頭皮に接触されるシリコーンゲル接着剤、上記シリコーンゲル接着剤の外面に形成された高分子フィルム、上記高分子フィルムの外面に形成された接着剤を含むことを特徴とするかつら用ベースシートによって達成されることができる。
【００１４】
上記の本発明の目的は、仮毛が植栽されたかつらが付着される、かつら用ベースシートにおいて、頭皮に接触されるシリコーンゲル接着剤、上記シリコーンゲル接着剤の外面に形成された不織布、上記不織布の外面に形成された高分子フィルムを含むことを特徴とするかつら用ベースシートによって達成されることができる。
【００１５】
上記の本発明の目的は、仮毛が植栽されたかつらが付着される、かつら用ベースシートにおいて、頭皮に接触されるシリコーンゲル接着剤、上記シリコーンゲル接着剤の外面に形成された不織布、上記不織布の外面に形成された高分子フィルム、上記高分子フィルムの外面に形成された接着剤を含むことを特徴とするかつら用ベースシートによって達成されることができる。
【００１６】
また、高分子フィルムの両面に接着剤が形成された両面テープをさらに含み、上記両面テープは、一面の接着剤に上記かつら用ベースシートが接着され、他面の接着剤にかつらが接着されることを特徴とするかつら用ベースシートによって達成されることができる。
【００１７】
また、上記のかつら用ベースシートを着用する方法において、頭皮または、自然毛髪に医療用シリコーン接着剤を塗布する第１段階、仮毛が植栽されたかつらのパッチまたは、網に両面テープの一面を接着させて、上記かつら用ベースシートを両面テープの他面に接着させてかつらを完成する第２段階、上記かつらを上記頭皮または、自然毛髪に着用してかつら用ベースシートのシリコーンゲル接着剤が上記医療用シリコーン接着剤と接着されるようにする第３段階を含むことを特徴とするかつら用ベースシートの着用方法によって達成されることができる。
【００１８】
また、上記のかつら用ベースシートを着用する方法において、頭皮または、自然毛髪に医療用シリコーン接着剤を塗布する第１段階、仮毛が植栽されたかつらのパッチまたは、網をかつら用ベースシートの接着剤を接着させてかつらを完成する第２段階、上記かつらを上記頭皮または、自然毛髪に着用してかつら用ベースシートのシリコーンゲル接着剤が上記医療用シリコーン接着剤と接着されるようにする第３段階を含むことを特徴とするかつら用ベースシートの着用方法によって達成されることができる。
【発明の効果】
【００１９】
本発明によれば、仮毛が植栽されるかつら用ベースシートの接着性を向上させて頭皮に少なくとも１回乃至数十回以上脱着が可能にして耐久性が向上でき、着用が簡単ながら自然毛髪に損傷を与えることなく、かつらの流動や歪みなどを防止できて優れた着用感が提供できる効果がある。
【図面の簡単な説明】
【００２０】
【図１】本発明の第１実施例による、かつら用ベースシートを示した断面図である。
【図２】本発明による、かつら用ベースシートを利用した着用方法を示した流れ図である。
【図３】本発明の第２実施例による、かつら用ベースシートに対する断面図である。
【図４】本発明の第３実施例による、かつら用ベースシートに対する断面図である。
【図５】本発明の第４実施例による、かつら用ベースシートに対する断面図である。
【発明を実施するための形態】
【００２１】
以下、本発明の望ましい実施例を添付した図面に基づいて詳細に説明すると次のとおりである。
【００２２】
添付した図面の中で、図１は、本発明の第１実施例による、かつら用ベースシートを示した断面図、図２は、本発明によるかつら用ベースシートを利用した着用方法を示した流れ図、図３は、本発明の第２実施例による、かつら用ベースシートに対する断面図、図４は、本発明の第３実施例による、かつら用ベースシートに対する断面図、図５は、本発明の第４実施例による、かつら用ベースシートに対する断面図である。
【実施例１】
【００２３】
図１に示したように、本発明の第１実施例による、かつら用ベースシートＡ１は、仮毛が植栽されたかつら１００，１００’が付着される、かつら用ベースシートにおいて、頭皮に接触されるシリコーンゲル接着剤２、上記シリコーンゲル接着剤２の外面に形成された高分子フィルム６を含む。
シリコーンゲル接着剤２は、ハゲ頭状態の頭皮または、自然毛髪に直接接触して接着され、少なくとも１回乃至数十回の脱着が可能であるように粘着性を持っているものを採択する。
【００２４】
そして、上記高分子フィルム６は、ポリウレタン材質が好ましいが、必ずこれに限定される必要はないということを明らかにする。
【００２５】
そして、上記高分子フィルム６は、ポリウレタン材質が好ましいが、必ずこれに限定される必要はないということを明らかにする。
【００２６】
また、所定の高分子フィルム４１の両面に、接着剤４２、４３が形成された両面テープ４がさらに備えられる。
【００２７】
上記両面テープ４は、一面の接着剤４２に、上記のかつら用ベースシートＡ１の高分子フィルム６が接着され、他面の接着剤４３にかつら１００、１００’が接着される。
【００２８】
上記かつら１００は、所定の面積となるパッチ１０２と、上記パッチ１０２に植栽された仮毛１０４から成る。望ましくは、上記パッチ１０２は、ポリウレタン素材である。  
【００２９】
または、上記かつら１００’は、所定の面積となる網１０６’と、上記網１０６’に植栽された仮毛１０４’から成る。  
【００３０】
一方、上述した第１実施例により、製造されたかつら用ベースシートＡ１の着用方法を調べてみると、図２に示したように、頭皮または、自然毛髪に医療用シリコーン接着剤を塗布する第１段階Ｓ１、仮毛が植栽されたかつら１００，１００’のパッチ１０２または、網１０６’に両面テープ４の一面を接着させて、上記かつら用ベースシートＡ１の高分子フィルム６を両面テープ４の他面に接着させてかつらを完成する第２段階Ｓ２、上記かつら１００、１００’を上記頭皮または、自然毛髪に着用してかつら用ベースシートＡ１のシリコーンゲル接着剤２が上記医療用シリコーン接着剤と接着されるようにする第３段階Ｓ３、から成る。
【００３１】
上記医療用シリコーン接着剤は、主に形成外科用材料として使われるシリコーンであって、加熱滅菌が可能であり、体内劣化がなく、また、生体組織と癒着しないので、緊急時の摘出が容易な材料である。
【００３２】
したがって、医療用シリコーン接着剤を頭皮に少なくとも１ヶ所以上塗り、一定の時間放置した後、上記のかつらを着用することである。  
【実施例２】
【００３３】
図３に示したように、本発明の第２実施例による、かつら用ベースシートＡ２は、仮毛が植栽されたかつら１００，１００’が付着される、かつら用ベースシートにおいて、頭皮に接触されるシリコーンゲル接着剤２、上記シリコーンゲル接着剤の外面に形成された高分子フィルム６、上記高分子フィルム６の外面に形成された接着剤７を含む。
【００３４】
また、所定の高分子フィルム４１の両面に接着剤４２、４３が形成された両面テープ４がさらに備えられる。  
【００３５】
上記両面テープ４は、一面の接着剤４２に、上記かつら用ベースシートＡ１の接着剤７が接着され、他面の接着剤４３にかつら１００、１００’が接着される。
【００３６】
上記かつら１００は、所定の面積となるパッチ１０２と、上記パッチ１０２に植栽された仮毛１０４から成る。  
【００３７】
望ましくは、上記パッチ１０２は、ポリウレタン素材であり、上記両面テープ４の接着剤４３に接着される。
【００３８】
または、上記かつら１００’は、所定の面積となる網１０６’と、上記網１０６’に植栽された仮毛１０４’からなり、上記網１０６’が、上記両面テープ４の接着剤４３に接着される。
【００３９】
一方、上記第２実施例により、製造されたかつら用ベースシートＡ２の着用方法を調べてみると、頭皮または、自然毛髪に医療用シリコーン接着剤を塗布する第１段階Ｓ１、仮毛が植栽されたかつら１００，１００’のパッチ１０２または、網１０６’に両面テープ４の一面の接着剤４３を接着させ、上記かつら用ベースシートＡ２を両面テープ４の他面の接着剤４２に接着させて、かつらを完成する第２段階Ｓ２、上記かつら１００、１００’を上記頭皮または、自然毛髪に着用して、かつら用ベースシートＡ１のシリコーンゲル接着剤２が上記医療用シリコーン接着剤と接着されるようにする第３段階Ｓ３から成る。  
【００４０】
または、両面テープ４を使わないで、上記かつら用ベースシートＡ２の接着剤７に仮毛が植栽されたかつらのパッチ１０２または、網１０６’を直接接着させてかつら１００、１００’を完成することもできる。
【実施例３】
【００４１】
図４に示したように、本発明の第３実施例による、かつら用ベースシートＡ３は、仮毛が植栽されたかつら１００，１００’が付着される、かつら用ベースシートにおいて、頭皮に接触されるシリコーンゲル接着剤２、上記シリコーンゲル接着剤２の外面に形成された不織布８、上記不織布８の外面に形成された高分子フィルム６を含む。  
【００４２】
上記不織布８は、シリコーンゲル接着剤２と高分子フィルム６と間の接着力を強化させるための媒介物から選択される  。
【００４３】
また、所定の高分子フィルム４１の両面に接着剤４２、４３が形成された両面テープ４がさらに備えられる。  
【００４４】
上記両面テープ４は、一面の接着剤４２に上記かつら用ベースシートＡ１の高分子フィルム６が接着され、他面の接着剤４３にかつら１００、１００’が接着される。
【００４５】
上記かつら１００は、所定の面積となるパッチ１０２と、上記パッチ１０２に植栽された仮毛１０４から成る。  
【００４６】
望ましくは、上記パッチ１０２は、ポリウレタン素材であり、上記両面テープ４の接着剤４３に接着される。
【００４７】
または、上記かつら１００’は、所定の面積となる網１０６’と、上記網１０６’に植栽された仮毛１０４’からなり、上記網１０６’が上記両面テープ４の接着剤４３に接着される。
【００４８】
一方、上述した第３実施例により、製造されたかつら用ベースシートＡ３の着用方法を調べてみると、頭皮または、自然毛髪に医療用シリコーン接着剤を塗りつける第１段階Ｓ１、仮毛が植栽されたかつら１００，１００’のパッチ１０２または、網１０６’に両面テープ４の一面の接着剤４３を接着させ、上記かつら用ベースシートＡ３の高分子フィルム６を両面テープ４の他面の接着剤４２に接着させてかつらを完成する第２段階Ｓ２、上記かつらを上記頭皮または、自然毛髪に着用してかつら用ベースシートＡ１のシリコーンゲル接着剤２が上記医療用シリコーン接着剤と接着されるようにする第３段階Ｓ３から成る。  
【実施例４】
【００４９】
図５に示したように、本発明の第４実施例による、かつら用ベースシートＡ４は、仮毛が植栽されたかつら１００，１００’が付着される、かつら用ベースシートにおいて、頭皮に接触されるシリコーンゲル接着剤２、上記シリコーンゲル接着剤２の外面に形成された不織布８、上記不織布８の外面に形成された高分子フィルム６、上記高分子フィルム６の外面に形成された接着剤７を含んで構成される。
【００５０】
上記不織布８は、シリコーンゲル接着剤２と高分子フィルム６と間の接着力を強化させるための媒介物の役割をすることになる。  
【００５１】
また、所定の高分子フィルム４１の両面に接着剤４２、４３が形成された両面テープ４がさらに備えられる。  
【００５２】
上記両面テープ４は、一面の接着剤４２に上記かつら用ベースシートＡ４の高分子フィルム６が接着され、他面の接着剤４３にかつら１００、１００’が接着される。
【００５３】
上記かつら１００は、所定の面積となるパッチ１０２と、上記パッチ１０２に植栽された仮毛１０４から成る。  望ましくは、上記パッチ１０２は、ポリウレタン素材であり、上記両面テープ４の接着剤４３に接着される。
【００５４】
または、上記かつら１００’は、所定の面積となる網１０６’と、上記網１０６’に植栽された仮毛１０４’からなり、上記網１０６’が上記両面テープ４の接着剤４３に接着される。
【００５５】
一方、上述した第４実施例により、製造されたかつら用ベースシートＡ４の着用方法を調べてみると、頭皮または、自然毛髪に医療用シリコーン接着剤を塗りつける第１段階Ｓ１、仮毛が植栽されたかつら１００，１００’のパッチ１０２または、網１０６’に両面テープ４の一面の接着剤４３を接着させて、上記かつら用ベースシートＡ２を両面テープ４の他面の接着剤４２に接着させてかつらを完成する第２段階Ｓ２、上記かつら１００、１００’を上記の頭皮または、自然毛髪に着用してかつら用ベースシートＡ４のシリコーンゲル接着剤２が、上記医療用シリコーン接着剤と接着されるようにする第３段階Ｓ３とから成る。
【００５６】
または、両面テープ４を使わないで、上記かつら用ベースシートＡ４の接着剤７に仮毛が植栽された、かつら１００，１００’のパッチ１０２または、網１０６’を直接接着させてかつらを完成することもできる。
【００５７】
たとえ、本発明が、上記言及された望ましい実施例と関連して説明されたが、発明の要旨と範囲から逸脱することなく、多様な修正および変形が可能であることは、当業者であれば、容易に認識することができ、このような変更および修正は全部添付した請求の範囲に属するということは自明である。
【符号の説明】
【００５８】
２：シリコーンゲル接着剤        ４；両面テープ
６：高分子フィルム              ７：接着剤
８：不織布                      ４２，４３：接着剤
１００，１００’：かつら                １０２：パッチ
１０４，１０４’：仮毛                  １０６’；網
【図１】
2014055392.tif 000003
【図２】
2014055392.tif 000004
【図３】
2014055392.tif 000005
【図４】
2014055392.tif 000006
【図５】
2014055392.tif 000007